(57)【要約】【課題】簡易な構成によってチョークコイルの振動に起因するノイズ波の発生を防止する。【解決手段】ヒーター駆動回路５２は、入力される位相制御信号ＳＣ０に従って、フィルター回路５１０を経た一次電圧Ｖ１に位相制御を施すことによって二次電圧Ｖ２を生成する。位相判定回路５４は、前記一次電圧Ｖ１の位相が予め定められた特定範囲内である状態であるか否かを判定する。制御部８１は、ゼロクロス信号ＳＸ０を基準にして前記位相制御信号ＳＣ０を生成する。音響信号生成回路８４は、前記位相制御信号ＳＣ０に同期し前記位相判定回路５４の判定結果に対応する位相の音響信号ＳＳ０を出力する。発音体５５は、前記音響信号ＳＳ０に対応するキャンセル音波ＷＣ０をチョークコイル５１ａが発するノイズ波ＷＮ０と重なる方向へ出力する。【選択図】図２
2019174726.tif 000002
【特許請求の範囲】
【請求項１】
像担持体からシートへトナー像を転写する転写装置と、
前記シートに転写された前記トナー像を加熱するヒーターと、
既定周波数の交流の一次電圧が供給されるチョークコイルを含むフィルター回路と、
入力される位相制御信号に従って、前記フィルター回路を経た前記一次電圧に位相制御を施すことによって前記ヒーターに供給される交流の二次電圧を生成するヒーター駆動回路と、
前記一次電圧のゼロクス点に対応するゼロクロス信号を生成するゼロクロス検出回路と、
前記ゼロクロス信号を基準にして前記位相制御信号を生成する制御部と、
前記一次電圧の位相が予め定められた特定範囲内である状態であるか否かを判定する位相判定回路と、
前記位相制御信号に同期し前記位相判定回路の判定結果に対応する位相の音響信号を出力する音響信号生成回路と、
前記音響信号が入力され、前記音響信号に対応するキャンセル音波を前記チョークコイルが発するノイズ波と重なる方向へ出力する発音体と、を備える画像形成装置。
【請求項２】
前記音響信号生成回路は、前記一次電圧の周期を基準にした前記ゼロクロス信号と前記位相制御信号との位相差に応じた振幅の前記音響信号を生成する、請求項１に記載の画像形成装置。
【請求項３】
前記音響信号生成回路は、前記位相差が９０°を含む予め定められた基準範囲であるときに最大の振幅の前記音響信号を生成し、前記位相差が前記基準範囲から大きく外れるほど小さな振幅の前記音響信号を生成する、請求項２に記載の画像形成装置。
【請求項４】
前記音響信号生成回路は、前記位相差が前記基準範囲を中心とする予め定められた制御範囲内である場合にのみ前記音響信号を出力する、請求項３に記載の画像形成装置。
【請求項５】
同一の基板に実装された前記チョークコイルおよび前記発音体を内包する金属筐体をさらに備える、請求項１から請求項４のいずれか１項に記載の画像形成装置。
【発明の詳細な説明】
【技術分野】
【０００１】
本発明は、チョークコイルおよび定着用のヒーターを備える画像形成装置に関する。
【背景技術】
【０００２】
一般に、電子写真方式の画像形成装置において、現像装置が像担持体上の静電潜像をトナー像へ現像し、転写装置が、前記像担持体からシートへ前記トナー像を転写する。
【０００３】
さらに、ヒーターを備える定着装置が、前記シートに転写された前記トナー像を加熱しつつ加圧する。これにより、前記トナー像が前記シートに定着する。
【０００４】
さらに、前記画像形成装置は、商用電源から交流の一次電圧が供給されるチョークコイルを含むフィルター回路を備える。
【０００５】
前記ヒーターに供給される電力は、前記定着装置の温度と目標温度との差に応じて制御される。例えば、ヒーター駆動回路が、前記一次電圧に位相制御を施すことによって前記ヒーターに供給される交流の二次電圧を生成する場合がある。前記位相制御は、交流電源系統のフリッカー対策として有効である。
【０００６】
また、前記画像形成装置が、前記ヒーターへの供給電力の制御を、プリント処理が実行されているときの前記位相制御と、待機中における波数制御とに切り替えることが知られている（例えば、特許文献１参照）。この制御の切り替えの目的は、待機中の前記チョークコイルのうなり音の発生を防止することである。
【先行技術文献】
【特許文献】
【０００７】
【特許文献１】特開２０１５−８１９５２号公報
【発明の概要】
【発明が解決しようとする課題】
【０００８】
ところで、前記画像形成装置において、プリント処理中および待機中に関わらず、前記チョークコイルの振動に起因するノイズ波の発生を防止することが求められている。さらに、極力簡易な構成により、前記チョークコイルの振動に起因するノイズ波の発生を防止できることが望ましい。
【０００９】
本発明の目的は、簡易な構成によってチョークコイルの振動に起因するノイズ波の発生を防止できる画像形成装置を提供することにある。
【課題を解決するための手段】
【００１０】
本発明の一の局面に係る画像形成装置は、転写装置と、ヒーターと、フィルター回路と、ヒーター駆動回路と、ゼロクロス検出回路と、位相判定回路と、制御部と、音響信号生成回路と、発音体と、を備える。前記転写装置は、像担持体からシートへトナー像を転写する。前記ヒーターは、前記シートに転写された前記トナー像を加熱する。前記フィルター回路は、既定周波数の交流の一次電圧が供給されるチョークコイルを含む。前記ヒーター駆動回路は、入力される位相制御信号に従って、前記フィルター回路を経た前記一次電圧に位相制御を施すことによって前記ヒーターに供給される交流の二次電圧を生成する。前記ゼロクロス検出回路は、前記一次電圧のゼロクス点に対応するゼロクロス信号を生成する。前記位相判定回路は、前記一次電圧の位相が予め定められた特定範囲内である状態であるか否かを判定する。前記制御部は、前記ゼロクロス信号を基準にして前記位相制御信号を生成する。前記音響信号生成回路は、前記位相制御信号に同期し前記位相判定回路の判定結果に対応する位相の音響信号を出力する。前記発音体は、前記音響信号が入力され、前記音響信号に対応するキャンセル音波を前記チョークコイルが発するノイズ波と重なる方向へ出力する。
【発明の効果】
【００１１】
本発明によれば、簡易な構成によってチョークコイルの振動に起因するノイズ波の発生を防止できる画像形成装置を提供することが可能になる。
【図面の簡単な説明】
【００１２】
【図１】図１は、実施形態に係る画像形成装置の構成図である。
【図２】図２は、実施形態に係る画像形成装置における制御装置およびヒーター給電装置のブロック図である。
【図３】図３は、実施形態に係る画像形成装置における各種信号のタイムチャートである。
【図４】図４は、実施形態に係る画像形成装置における位相制御のゼロクロス位相差と音響信号の増幅ゲインとの関係の第１例を示すグラフである。
【図５】図５は、実施形態に係る画像形成装置における位相制御のゼロクロス位相差と音響信号の増幅ゲインとの関係の第２例を示すグラフである。
【発明を実施するための形態】
【００１３】
以下、図面を参照しながら、本発明の実施形態について説明する。なお、以下の実施形態は、本発明を具体化した一例であって、本発明の技術的範囲を限定するものではない。
【００１４】
［画像形成装置１０の構成］
実施形態に係る画像形成装置１０は、電子写真方式でプリント処理を実行するプリント処理装置４を備える。前記プリント処理は、シート９に画像を形成する処理である。シート９は、用紙または樹脂フィルムなどのシート状の画像形成媒体である。
【００１５】
図１に示されるように、画像形成装置１０は、本体１００内に配置されたシート搬送機構３、プリント処理装置４、ヒーター給電装置５、主電源装置６および制御装置８を備える。
【００１６】
図２に示されるように、制御装置８は、ＣＰＵ（Central Processing Unit）８１と、ＲＡＭ（Random Access Memory）８２と、二次記憶装置８３とを含む。ＣＰＵ８１は、集積回路によって実現されている。ＣＰＵ８１は、制御基板８０に実装されている。なお、ＣＰＵ８１は制御部の一例である。
【００１７】
ＣＰＵ８１は、予め二次記憶装置８３に記憶されたプログラムを実行することにより、各種のデータ処理を実行し、さらに、画像形成装置１０が備える電気機器を制御する。ＣＰＵ８１は、プリント処理装置４、ヒーター給電装置５および主電源装置６などを制御する。
【００１８】
なお、ＣＰＵ８１の代わりに、ＤＳＰ（Digital Signal Processor）などの他のプロセッサーが採用されることも考えられる。
【００１９】
ＲＡＭ８２は、ＣＰＵ８１が実行する前記プログラムおよびＣＰＵ８１が前記プログラムを実行する過程で出力および参照するデータを一次記憶する、コンピューター読み取り可能な揮発性の記憶装置である。ＲＡＭ８２は、二次記憶装置８３よりも高速なデータアクセスが可能な記憶装置である。
【００２０】
二次記憶装置８３は、コンピューター読み取り可能な不揮発性の記憶装置である。例えば、二次記憶装置８３がフラッシュメモリーまたはハードディスクドライブの一方または両方を含むことが考えられる。
【００２１】
シート搬送機構３は、シート収容部１０１に収容されたシート９を、シート搬送路３００へ送り出し、さらに、シート９をシート搬送路３００に沿って搬送する。
【００２２】
プリント処理装置４は、光走査ユニット４０、感光体４１、帯電装置４２、現像装置４３、トナー補給ユニット４４、転写装置４５、クリーニング装置４６および定着装置４７などを備える。
【００２３】
ドラム状の感光体４１が回転し、帯電装置４２が感光体４１の表面を帯電させる。光走査ユニット４０が、帯電した感光体４１の表面にビーム光を走査することにより、感光体４１の表面に静電潜像を書き込む。
【００２４】
現像装置４３は、感光体４１の表面にトナー９０を供給することにより、前記静電潜像をトナー像へ現像する。転写装置４５は、感光体４１の表面の前記トナー像を、シート搬送路３００を移動中のシート９に転写する。
【００２５】
前記トナー像は、転写装置４５によってシート９に転写された段階では、未だシート９に定着していない。
【００２６】
なお、感光体４１は像担持体の一例である。タンデム方式のカラー画像形成装置においては、無端の中間転写ベルトも、シート９に転写される前記トナー像を担持する像担持体の一例である。前記カラー画像形成装置において、転写装置は、前記中間転写ベルトからシート９へ前記トナー像を転写する。
【００２７】
定着装置４７は、シート９に転写された前記トナー像を加熱しつつ、前記トナー像をシート９へ押しつける。これにより、前記トナー像がシート９に定着する。定着装置４７は、ヒーター４７０、加熱体４７１、加圧体４７２および温度センサー４７３を備える。
【００２８】
加熱体４７１は、ヒーター４７０によって加熱され、シート９に転写された前記トナー像を加熱する。即ち、ヒーター４７０は、加熱体４７１を介して、シート９に転写された前記トナー像を加熱する。
【００２９】
加圧体４７２は、シート９を加熱体４７１に押しつける。これにより、前記トナー像がシート９に向けて加圧される。温度センサー４７３は、加熱体４７１の温度を検出する。例えば、温度センサー４７３はサーミスターなどである。温度センサー４７３は、ヒーター４７０へ供給される電力のフィードバック制御に用いられる。
【００３０】
クリーニング装置４６は、感光体４１の表面に残存するトナー９０を除去する。トナー補給ユニット４４は、トナー９０を現像装置４３へ補給する。
【００３１】
ヒーター給電装置５は、定着装置４７のヒーター４７０に電力を供給する。既定周波数の一次電圧Ｖ１が、外部電源１０００からヒーター給電装置５に供給される。外部電源１０００は、例えば商用電源である。
【００３２】
主電源装置６は、外部電源１０００から供給される交流の一次電圧Ｖ１をスイッチング方式により直流の電圧へ変換する直流電源回路を含む。主電源装置６は、画像形成装置１０におけるヒーター４７０以外の電気機器および電子機器へ電力を供給する。
【００３３】
ＣＰＵ８１は、予め二次記憶装置８３に記憶されたプログラムを実行することにより、ヒーター制御部８１ａとして動作する。ヒーター制御部８１ａは、ＣＰＵ８１からヒーター給電装置５へ位相制御信号ＳＣ０を出力する処理を実行する。
【００３４】
［ヒーター給電装置５の概要］
ヒーター給電装置５は、フィルター回路５１、ヒーター駆動回路５２およびゼロクロス検出回路５３を備える。ヒーター給電装置５は、フィルター回路５１、ヒーター駆動回路５２およびゼロクロス検出回路５３は、１つのヒーター給電基板５０に実装されている。
【００３５】
フィルター回路５１は、外部電源１０００から一次電圧Ｖ１が供給されるチョークコイル５１ａを含む。チョークコイル５１ａは、一次電圧Ｖ１から一次電圧Ｖ１の本来の周波数を超える周波数のノイズを除去する。
【００３６】
チョークコイル５１ａが発熱するときの危険防止のため、ヒーター給電装置５は、チョークコイル５１ａを内包する金属筐体５１０をさらに備える。金属筐体５１０は、ヒーター給電基板５０に固定されている。
【００３７】
金属筐体５１０は、不図示の冷却ファンによって送り込まれる空気を通す通気口を有している。チョークコイル５１ａは、前記冷却ファンによって強制空冷される。
【００３８】
ヒーター駆動回路５２は、ＣＰＵ８１から入力される位相制御信号ＳＣ０に従って、フィルター回路５１を経た一次電圧Ｖ１に位相制御を施すことによって交流の二次電圧前記ヒーターに供給される二次電圧Ｖ２を生成する。二次電圧Ｖ２は、定着装置４７のヒーター４７０に供給される。
【００３９】
ヒーター駆動回路５２は、周知の位相制御回路５２ｃを含み、位相制御回路５２ｃは、トライアック５２ａおよびフォトトライアックカプラ５２ｂを含む。一次電圧Ｖ１がトライアック５２ａに供給され、位相制御信号ＳＣ０がフォトトライアックカプラ５２ｂに供給される。
【００４０】
ゼロクロス検出回路５３は、一次電圧Ｖ１のゼロクス点に対応するゼロクロス信号ＳＸ０を生成する。ゼロクロス信号ＳＸ０は、ＣＰＵ８１に供給される。
【００４１】
図３に示されるように、ゼロクロス検出回路５３は、一次電圧Ｖ１が０Ｖを中心にした予め定められたレベル範囲内にあるか否かを判定し、判定した結果をゼロクロス信号ＳＸ０として出力する。
【００４２】
例えば、ゼロクロス検出回路５３が、不図示の全波整流回路と、前記全波整流回路の出力電圧と一定の参照電圧とを比較するコンパレーターとを含む。この場合、前記コンパレーターの出力がゼロクロス信号ＳＸ０である。
【００４３】
位相制御信号ＳＣ０は、ゼロクロス信号ＳＸ０に対応する信号であり、ゼロクロス信号ＳＸ０に対して遅れてアクティブとなる。
【００４４】
ヒーター駆動回路５２は、入力される一次電圧Ｖ１のうち、位相制御信号ＳＣ０がアクティブとなった時点から一次電圧Ｖ１が０ボルトになるまでの期間において、一次電圧Ｖ１を二次電圧Ｖ２として出力し、その他の期間において、０ボルトを二次電圧Ｖ２として出力する。
【００４５】
従って、ゼロクロス信号ＳＸ０に対するゼロクロス信号ＳＸ０のアクティブ化の遅れ時間の変化に応じて、ヒーター４７０に供給される電力が変化する。即ち、ゼロクロス信号ＳＸ０に対するゼロクロス信号ＳＸ０のアクティブ化の遅れ時間が、一次電圧Ｖ１の周期の４分の１の時間に近いほど、ヒーター４７０に供給される電力が小さい。
【００４６】
ＣＰＵ８１のヒーター制御部８１ａは、ゼロクロス信号ＳＸ０を基準にして位相制御信号ＳＣ０を生成する。
【００４７】
ゼロクロス信号ＳＸ０がアクティブとなってから位相制御信号ＳＣ０がアクティブとなるまでの遅れ時間は、一次電圧Ｖ１の周期を基準にした位相差として表すことができる。
【００４８】
以下の説明において、一次電圧Ｖ１の周期を基準にしたゼロクロス信号ＳＸ０と位相制御信号ＳＣ０との位相差のことをゼロクロス位相差ＤＰ０と称する。図３に示される例において、ゼロクロス位相差ＤＰ０は９０°である。
【００４９】
ヒーター制御部８１ａは、定着装置４７の温度センサー４７３の検出温度と予め定められた目標温度との差に応じてゼロクロス位相差ＤＰ０を調節し、ゼロクロス信号ＳＸ０に基準にした位相制御信号ＳＣ０を出力する。
【００５０】
ヒーター４７０への供給電力の位相制御は、交流電源系統のフリッカー対策として有効である。
【００５１】
ところで、画像形成装置１０において、プリント処理中および待機中に関わらず、チョークコイル５１ａの振動に起因するノイズ波ＷＮ０の発生を防止することが求められている。さらに、極力簡易な構成により、チョークコイル５１ａの振動に起因するノイズ波ＷＮ０の発生を防止できることが望ましい。
【００５２】
以下、チョークコイル５１ａの振動に起因するノイズ波ＷＮ０について説明する。図２に示されるように、前記位相制御が行われる場合、二次電圧Ｖ２の急峻な立ち上がりのタイミングに同期してチョークコイル５１ａが振動し、この振動がノイズ波ＷＮ０としてチョークコイル５１ａから放射される。
【００５３】
二次電圧Ｖ２の立ち上がりレベルＤＶ２が大きいほど、チョークコイル５１ａが強く振動する。この場合、チョークコイル５１ａが比較的大きなノイズ波ＷＮ０を発する（図２参照）。大きなノイズ波ＷＮ０は、騒音となる。
【００５４】
画像形成装置１０において、制御装置８およびヒーター給電装置５は、チョークコイル５１ａの振動に起因するノイズ波ＷＮ０の発生を防止する構成を備える。以下、その構成について説明する。
【００５５】
［ヒーター給電装置５および制御装置８の詳細］
図２に示されるように、ヒーター給電装置５は、位相判定回路５４および発音体５５をさらに備える。発音体５５はスピーカーである。
【００５６】
また、制御装置８は、発音体５５に音響信号ＳＳ０を出力する音響信号生成回路８４をさらに備える。さらに、制御装置８において、ＣＰＵ８１は、二次記憶装置８３に記憶されたプログラムを実行することにより、音響制御部８１ｂとしても動作する。
【００５７】
位相判定回路５４は、一次電圧Ｖ１の位相が予め定められた特定範囲ＰＲ０内である状態であるか否かを判定し、判定結果を表す位相判定信号ＳＰ０を出力する。位相判定信号ＳＰ０は、ＣＰＵ８１に供給される。
【００５８】
特定範囲ＰＲ０は、一次電圧Ｖ１が正レベルである期間および負レベルである期間のいずれか一方に対応する。図３に示される例では、特定範囲ＰＲ０は、ゼロクロス信号ＳＸ０がネガティブである期間のうち、一次電圧Ｖ１が正レベルである期間に相当する位相範囲である。
【００５９】
例えば、位相判定回路５４は、一次電圧Ｖ１と一定の参照電圧とを比較するコンパレーターによって実現される。この場合、コンパレーターの出力信号が位相判定信号ＳＰ０である。
【００６０】
音響制御部８１ｂは、位相制御信号ＳＣ０に同期し、位相判定信号ＳＰ０の状態に応じて正負が反転する矩形波信号である基準矩形信号ＳＸ１を生成し、その基準矩形信号ＳＸ１を音響信号生成回路８４へ供給する。
【００６１】
図３に示されるように、音響制御部８１ｂは、位相制御信号ＳＣ０がネガティブからアクティブへ変化するときに、その時点の一次電圧Ｖ１の極性と反対の極性の基準矩形信号ＳＸ１を出力する。音響制御部８１ｂは、位相判定信号ＳＰ０に基づいて基準矩形信号ＳＸ１の極性を決定する。
【００６２】
さらに、音響制御部８１ｂは、ヒーター制御部８１ａにより調節されるゼロクロス位相差ＤＰ０に応じた音響信号の増幅ゲインＳＧ０を設定し、その増幅ゲインＳＧ０を表す信号を、基準矩形信号ＳＸ１とともに音響信号生成回路８４へ供給する。
【００６３】
図４は、位相制御のゼロクロス位相差ＤＰ０と増幅ゲインＳＧ０との関係の第１例を示す。例えば、音響制御部８１ｂは、ゼロクロス位相差ＤＰ０が９０°を含む予め定められた基準範囲ＷＰ０であるときに最大の増幅ゲインＳＧ０を設定する。さらに、音響制御部８１ｂは、ゼロクロス位相差ＤＰ０が基準範囲ＷＰ０から大きく外れるほど小さな増幅ゲインＳＧ０を設定する。
【００６４】
一般に、ゼロクロス位相差ＤＰ０が９０°または９０°に近い場合に、二次電圧Ｖ２の立ち上がりレベルＤＶ２が最も大きくなる（図３参照）。そのため、ゼロクロス位相差ＤＰ０が９０°または９０°に近い場合に、チョークコイル５１ａの振動の強度、即ち、ノイズ波ＷＮ０の振幅が最大となる。
【００６５】
そして、ゼロクロス位相差ＤＰ０が９０°から大きく外れるほど、ノイズ波ＷＮ０の振幅が小さくなる。従って、ゼロクロス位相差ＤＰ０に応じて増幅ゲインＳＧ０を設定することは、ノイズ波ＷＮ０の振幅に対応した増幅ゲインＳＧ０を設定することに繋がる。
【００６６】
音響信号生成回路８４は、基準矩形信号ＳＸ１をその基準矩形信号ＳＸ１に同期した交流信号である基準音響信号へ変換する。例えば、音響信号生成回路８４は、基準矩形信号ＳＸ１を正弦波信号へ変換する周知の正弦波生成回路を含む。この場合、前記正弦波信号が前記基準音響信号である。
【００６７】
さらに、音響信号生成回路８４は、前記基準音響信号を増幅ゲインＳＧ０に従って増幅し、増幅後の信号を音響信号ＳＳ０として出力する。例えば、前記基準音響信号を増幅する回路が、周知の反転増幅回路であることが考えられる。音響信号ＳＳ０は、発音体５５に入力される。
【００６８】
以上に示されるように、音響信号生成回路８４は、位相制御信号ＳＣ０に同期し位相判定回路５４の判定結果に対応する位相の音響信号ＳＳ０を出力する。さらに、音響信号生成回路８４は、増幅ゲインＳＧ０を用いて、ゼロクロス位相差ＤＰ０に応じた振幅の音響信号ＳＳ０を生成する。
【００６９】
また、音響信号生成回路８４は、増幅ゲインＳＧ０を用いることにより、ゼロクロス位相差ＤＰ０が基準範囲ＷＰ０であるときに最大の振幅の音響信号ＳＳ０を生成する。さらに、音響信号生成回路８４は、増幅ゲインＳＧ０を用いることにより、ゼロクロス位相差ＤＰ０が基準範囲ＷＰ０から大きく外れるほど小さな振幅の音響信号ＳＳ０を生成する。
【００７０】
なお、前述したように、ゼロクロス位相差ＤＰ０は、一次電圧Ｖ１の周期を基準にした前記ゼロクロス信号と前記位相制御信号との位相差である。
【００７１】
図３に示されるように、音響信号ＳＳ０は、ノイズ波ＷＮ０に対して逆位相で同期する信号である。換言すれば、音響信号生成回路８４は、ノイズ波ＷＮ０に対して逆位相で同期する音響信号ＳＳ０を生成する。
【００７２】
発音体５５は、音響信号ＳＳ０が入力され、音響信号ＳＳ０に対応するキャンセル音波ＷＣ０を出力する。発音体５５は、チョークコイル５１ａが発するノイズ波ＷＮ０と重なる方向へキャンセル音波ＷＣ０を出力する。
【００７３】
例えば、チョークコイル５１ａおよび発音体５５がともにヒーター給電基板５０に実装され、金属筐体５１０が、チョークコイル５１ａおよび発音体５５を内包する状態でヒーター給電基板５０に固定される。これにより、発音体５５が、チョークコイル５１ａが発するノイズ波ＷＮ０と重なる方向へキャンセル音波ＷＣ０を出力することになる。
【００７４】
例えば、発音体５５は、チョークコイル５１ａに対向して配置される。或いは、発音体５５が、金属筐体５１０の前記通気口に向けて配置されることも考えられる。
【００７５】
発音体５５がキャンセル音波ＷＣ０を出力することにより、ノイズ波ＷＮ０とキャンセル音波ＷＣ０とが相殺される。その結果、画像形成装置１０において、プリント処理中および待機中に関わらず、チョークコイル５１ａの振動に起因するノイズ波ＷＮ０の発生が防止される。
【００７６】
また、画像形成装置１０は、一般的なアクティブノイズキャンセラーのように、ノイズ波ＷＮ０の周波数などを解析するためのマイクおよび信号解析のためのフーリエ変換などの高速な演算を行う特別なプロセッサーを必要としない。
【００７７】
そして、位相判定回路５４および音響信号生成回路８４は、ごく簡易な回路によって実現可能である。さらに、音響制御部８１ｂの処理もごく簡易な処理である。従って、簡易な構成によってノイズ波ＷＮ０の発生を防止できる。
【００７８】
［第１応用例］
以下、画像形成装置１０の第１応用例について説明する。図５は、位相制御のゼロクロス位相差ＤＰ０と増幅ゲインＳＧ０との関係の第２例を示す。
【００７９】
本応用例においても、音響制御部８１ｂは、ゼロクロス位相差ＤＰ０が９０°を含む予め定められた基準範囲ＷＰ０であるときに最大の増幅ゲインＳＧ０を設定する。さらに、音響制御部８１ｂは、ゼロクロス位相差ＤＰ０が基準範囲ＷＰ０から大きく外れるほど小さな増幅ゲインＳＧ０を設定する。
【００８０】
但し、本応用例において、音響制御部８１ｂは、ゼロクロス位相差ＤＰ０が基準範囲ＷＰ０を中心とする予め定められた制御範囲ＷＰ１内である場合にのみ有意な増幅ゲインＳＧ０を設定する。
【００８１】
そして、音響制御部８１ｂは、ゼロクロス位相差ＤＰ０が制御範囲ＷＰ１から外れているときは、基準矩形信号ＳＸ１を出力しない。この場合、音響信号生成回路８４は、音響信号ＳＳ０を出力しない。
【００８２】
即ち、本応用例において、音響信号生成回路８４は、ゼロクロス位相差ＤＰ０が基準範囲ＷＰ０を中心とする予め定められた制御範囲ＷＰ１内である場合にのみ音響信号ＳＳ０を出力する。
【００８３】
本応用例によれば、チョークコイル５１ａの振動が弱い場合に、キャンセル音波ＷＣ０の出力のための消費電力が抑制される。
【００８４】
［第２応用例］
音響信号生成回路８４が、音響制御部８１ｂの処理を実現する回路を含むことも考えられる。
【符号の説明】
【００８５】
３        ：シート搬送機構
４        ：プリント処理装置
５        ：ヒーター給電装置
６        ：主電源装置
８        ：制御装置
９        ：シート
１０      ：画像形成装置
４０      ：光走査ユニット
４１      ：感光体
４２      ：帯電装置
４３      ：現像装置
４４      ：トナー補給ユニット
４５      ：転写装置
４６      ：クリーニング装置
４７      ：定着装置
５０      ：ヒーター給電基板
５１      ：フィルター回路
５１ａ    ：チョークコイル
５２      ：ヒーター駆動回路
５２ａ    ：トライアック
５２ｂ    ：フォトトライアックカプラ
５２ｃ    ：位相制御回路
５３      ：ゼロクロス検出回路
５４      ：位相判定回路
５５      ：発音体
８０      ：制御基板
８１      ：ＣＰＵ
８１ａ    ：ヒーター制御部
８１ｂ    ：音響制御部
８２      ：ＲＡＭ
８３      ：二次記憶装置
８４      ：音響信号生成回路
９０      ：トナー
１００    ：本体
１０１    ：シート収容部
３００    ：シート搬送路
４７０    ：ヒーター
４７１    ：加熱体
４７２    ：加圧体
４７３    ：温度センサー
５１０    ：金属筐体
１０００  ：外部電源
ＤＰ０    ：ゼロクロス位相差
ＤＶ２    ：立ち上がりレベル
ＰＲ０    ：特定範囲
ＳＣ０    ：位相制御信号
ＳＧ０    ：増幅ゲイン
ＳＰ０    ：位相判定信号
ＳＳ０    ：音響信号
ＳＸ０    ：ゼロクロス信号
ＳＸ１    ：基準矩形信号
Ｖ１      ：一次電圧
Ｖ２      ：二次電圧
ＷＣ０    ：キャンセル音波
ＷＮ０    ：ノイズ波
ＷＰ０    ：基準範囲
ＷＰ１    ：制御範囲
【図１】
2019174726.tif 000003
【図２】
2019174726.tif 000004
【図３】
2019174726.tif 000005
【図４】
2019174726.tif 000006
【図５】
2019174726.tif 000007